(57)【要約】【課題】  空気調和機を良好に、且つ顧客に不快感を与えることなく実演運転して展示できること。【解決手段】  立設パネル部１２の上部に室内機２が、下部に室外機３がそれぞれ設置され、これらの室内機及び室外機を備えてなる空気調和機１を実演運転して展示する空気調和機の展示装置６０において、室外機は、空気取入開口５１、５３等を備えた遮蔽部１４内に収容されると共に、中空形状のベースフレーム６１の天面１５に支持され、また遮蔽部の背面に、室内機または室外機からのドレン水を吸収し蒸発させるドライクロス６９をユニット本体６８の内部に備えたドライユニット６３が設置され、遮蔽部、ドライユニット及びベースフレームには、室外機からの排気を、遮蔽部のバックフレーム風路開口６５からドライユニット内へ導いた後ベースフレーム内へ導き、このベースフレームの背面側から背面風路開口８３を経て排出する風路８４が形成されたものである。【選択図】            図１４
2006214677.tif 000002
【特許請求の範囲】
【請求項１】
立設パネル部の上部に室内機が、下部に室外機がそれぞれ設置され、これらの室内機及び室外機を備えてなる空気調和機を実演運転して展示する空気調和機の展示装置において、
上記室外機は、空気取入開口を備えた遮蔽部に収容されると共に、上記室内機または上記室外機からのドレン水を貯溜する貯溜タンクを収納する収納部の天面に支持され、
上記遮蔽部及び上記収納部には、上記室外機からの排気を上記遮蔽部から上記収納部内へ導き、この収納部の背面側から排出する風路が形成されたことを特徴とする空気調和機の展示装置。
【請求項２】
上記収納部は、空気調和機の冷房運転時に室内機から１日あたりに発生するドレン水を貯溜するに足る容量の貯溜タンクを収納し得る大きさに構成されたことを特徴とする請求項1に記載の空気調和機の展示装置。
【請求項３】
立設パネル部の上部に室内機が、下部に室外機がそれぞれ設置され、これらの室内機及び室外機を備えてなる空気調和機を実演運転して展示する空気調和機の展示装置において、
上記室外機は、空気取入開口を備えた遮蔽部内に収容されると共に、中空形状の台座部の天面に支持され、
上記遮蔽部の背面に、上記室内機または上記室外機からのドレン水を吸収し蒸発させるシートを内部に備えたドライユニットが設置され、
上記遮蔽部、上記ドライユニット及び上記台座部には、上記室外機からの排気を、上記遮蔽部から上記ドライユニット内へ導いた後上記台座部内へ導き、この台座部の背面側から排出する風路が形成されたことを特徴とする空気調和機の展示装置。
【請求項４】
上記ドライユニットのシートは、上方から下方へ向かって蛇腹形状に設けられることを特徴とする請求項３に記載の空気調和機の展示装置。
【請求項５】
上記立設パネル部の正面側上部に室内機が設置され、背面側下部に室外機及び遮蔽部が位置づけられることを特徴とする請求項1乃至３のいずれかに記載の空気調和機の展示装置。
【請求項６】
上記室外機は、支持ブロックを介して収納部または台座部の天面に支持され、上記支持ブロックが上記天面に位置調整可能に配設されることを特徴とする請求項1乃至５のいずれかに記載の空気調和機の展示装置。
【請求項７】
上記室内機は、立設パネル部の上部に設けられたトップボードに固定され、このトップボードには、上記室内機から上記室外機への配管が挿通される開口部が所定の位置、大きさで予め設けられていることを特徴とする請求項1乃至６のいずれかに記載の空気調和機の展示装置。
【発明の詳細な説明】
【技術分野】
【０００１】
本発明は、室内機及び室外機を備えてなる空気調和機を展示する、特に空気調和機を実演運転して展示する空気調和機の展示装置に関する。
【背景技術】
【０００２】
空気調和機を店頭で展示する空気調和機の展示装置には、特許文献１に記載のように、空気調和機の室内機を展示用スタンドに設置し、この展示用スタンドにおいて上記室内機の下方に、当該室内機に対しシリーズ機種の室内機の写真等を表示するタペストリーを配設したものが知られている。
【０００３】
また、従来の空気調和機の展示装置には、空気調和機を実演運転して展示するものが知られている。このような展示装置１００は、図２４に示すように、立設パネル部１０４の上部に室内機１０２が、下部に室外機１０３がそれぞれ設置され、室外機１０３を遮蔽カバー１０５によりほぼ密閉状態に遮蔽して、当該室外機１０３からの排気１０８が外部へ排出されることを防止し、且つ、室内機１０２または室外機１０３からのドレン水を、室外機１０３の下方に配置された貯溜タンク１０６内に貯溜するものである。尚、図２４中の符号１０７はドレンホースを示す。
【０００４】
【特許文献１】実用新案登録第３０６０５９０号公報
【発明の開示】
【発明が解決しようとする課題】
【０００５】
ところが、上述のような展示装置１０５を用いて室内機１０２及び室外機１０３を備える空気調和機１０１を運転すると、室外機１０３が当該室外機１０３から排出された室温の空気を取り込んでしまうという弊害があった（１０９）。即ち、熱交換後の排気１０８が、室外機１０３から出るものの、室外機１０３が遮蔽カバー１０５により密閉されているため、室外機１０３からの排気１０８は、再度室外機１０３へと吸い込まれる（１０９）。このショートサイクルによって、熱交換効率が低下し、空気調和機１０１が、一定の運転に達したところで、室外機１０３がその運転を停止してしまうことがあった。
【０００６】
また、貯溜タンク１０６が室外機１０３下方の低く狭い空間に配置されているため、同空間への貯溜タンク１０６の搬入出作業が不便であり、ドレン水の廃棄作業が煩雑になる。しかも、貯溜タンク１０６の容量が少ないため、この貯溜タンク１０６からドレン水の溢水を防止するために、上記貯溜タンク１０６の搬入出作業を頻繁に実施して、ドレン水の廃棄作業を行わなければならない。
【０００７】
更に、室内機１０２と室外機１０３が共に立設パネル部１０４の正面側に設置されているため、室内機１０２からの気流、特に暖房運転時の室内機１０２からの暖気流が、室外機１０３及び遮蔽カバー１０５に衝突して、この気流の流れを妨げてしまう。
【０００８】
また、図２４に示すような空気調和機の展示装置１００は、空気調和機１０１の製造会社ごとに専用のものであり、他の製造会社の空気調和機１０１では、特に室外機１０３の寸法が異なることによって、その設置が困難になる課題がある。
【０００９】
本発明の目的は、上述の事情を考慮してなされたものであり、空気調和機を良好に、且つ顧客に不快感を与えることなく実演運転して展示できる空気調和機の展示装置を提供することにある。
【００１０】
本発明の他の目的は、空気調和機の実演運転時に発生するドレン水の廃棄作業を軽減できる空気調和機の展示装置を提供することにある。
【００１１】
本発明の更に他の目的は、空気調和機の実演運転時に発生するドレン水の廃棄作業を無くすことができる空気調和機の展示装置を提供することにある。
【課題を解決するための手段】
【００１２】
請求項１に記載の発明は、立設パネル部の上部に室内機が、下部に室外機がそれぞれ設置され、これらの室内機及び室外機を備えてなる空気調和機を実演運転して展示する空気調和機の展示装置において、上記室外機は、空気取入開口を備えた遮蔽部に収容されると共に、上記室内機または上記室外機からのドレン水を貯溜する貯溜タンクを収納する収納部の天面に支持され、上記遮蔽部及び上記収納部には、上記室外機からの排気を上記遮蔽部から上記収納部内へ導き、この収納部の背面側から排出する風路が形成されたことを特徴とするものである。
【００１３】
請求項２に記載の発明は、請求項1に記載の発明において、上記収納部は、空気調和機の冷房運転時に室内機から１日あたりに発生するドレン水を貯溜するに足る容量の貯溜タンクを収納し得る大きさに構成されたことを特徴とするものである。
【００１４】
請求項３に記載の発明は、立設パネル部の上部に室内機が、下部に室外機がそれぞれ設置され、これらの室内機及び室外機を備えてなる空気調和機を実演運転して展示する空気調和機の展示装置において、上記室外機は、空気取入開口を備えた遮蔽部内に収容されると共に、中空形状の台座部の天面に支持され、上記遮蔽部の背面に、上記室内機または上記室外機からのドレン水を吸収し蒸発させるシートを内部に備えたドライユニットが設置され、上記遮蔽部、上記ドライユニット及び上記台座部には、上記室外機からの排気を、上記遮蔽部から上記ドライユニット内へ導いた後上記台座部内へ導き、この台座部の背面側から排出する風路が形成されたことを特徴とするものである。
【００１５】
請求項４に記載の発明は、請求項３に記載の発明において、上記ドライユニットのシートは、上方から下方へ向かって蛇腹形状に設けられることを特徴とするものである。
【００１６】
請求項５に記載の発明は、請求項1乃至３のいずれかに記載の発明において、上記立設パネル部の正面側上部に室内機が設置され、背面側下部に室外機及び遮蔽部が位置づけられることを特徴とするものである。
【００１７】
請求項６に記載の発明は、請求項1乃至５のいずれかに記載の発明において、上記室外機は、支持ブロックを介して収納部または台座部の天面に支持され、上記支持ブロックが上記天面に位置調整可能に配設されることを特徴とするものである。
【００１８】
請求項７に記載の発明は、請求項1乃至６のいずれかに記載の発明において、上記室内機は、立設パネル部の上部に設けられたトップボードに固定され、このトップボードには、上記室内機から上記室外機への配管が挿通される開口部が所定の位置、大きさで予め設けられていることを特徴とするものである。
【発明の効果】
【００１９】
請求項１に記載の発明によれば、室外機を遮蔽する遮蔽部に空気取入開口が設けられ、室内機または室外機からのドレン水を貯溜する貯溜タンクを収納する収納部の天面に室外機が支持され、これらの遮蔽部及び収納部に、室外機からの排気を遮蔽部から収納部内へ導き、この収納部の背面側から排出する風路が形成されたことから、室外機は、その運転時に空気取入開口から遮蔽部外の空気を取り込み、風路を経て排気を遮蔽部及び収納部の外部へ排出できるので、ショートサイクル現象が発生せず、熱交換を効率的に実施できる。この結果、空気調和機の実演運転を良好に実現できる。
【００２０】
しかも、遮蔽部及び収納部に形成された風路を経て、室外機の排気が収納部の背面側から排出されるので、この展示装置の正面側で空気調和機の実演運転を観察している顧客に室外機の排気が当たらず、顧客に不快感を与えることがない。
【００２１】
請求項２に記載の発明によれば、収納部が、空気調和機の冷房運転時に室内機から１日あたりに発生するドレン水を貯溜するに足る容量の貯溜タンクを収納し得る大きさに構成されたことから、このような大容量の貯溜タンクを用いることによって、空気調和機の実演運転時に貯溜タンクに貯溜されるドレン水の溢水を防止すべく、貯溜タンク内のドレン水を頻繁に廃棄する必要が無いので、ドレン水の廃棄作業を軽減できる。
【００２２】
請求項３または４に記載の発明によれば、室外機は、その運転時に遮蔽部の空気取入開口から遮蔽部外の空気を取り込み、遮蔽部、ドライユニット及び台座部に形成された風路を経て、排気を遮蔽部、ドライユニット及び台座部の外部へ排出することから、ショートサイクル現象が発生せず、熱交換を効率的に実施できる。この結果、空気調和機の実演運転を良好に実現できる。
【００２３】
また、遮蔽部、ドライユニット及び台座部には、室外機からの排気を、遮蔽部からドライユニット内へ導いた後台座部内へ導き、この台座部の背面側から排出する風路が形成されたことから、この展示装置の正面側で空気調和機の実演運転を観察している顧客に室外機の排気が当たらず、この顧客に不快感を与えることがない。
【００２４】
更に、室内機または室外機からのドレン水を吸収し蒸発させるシートを内部に備えたドライユニットが、室外機を収容する遮蔽部の背面に設置されたことから、室外機からの排気をドライユニットのシートに当てることで、このシートに吸収されたドレン水を蒸発させて放散することができる。この結果、ドレン水を貯溜して廃棄するドレン水の廃棄作業を無くすことができる。
【００２５】
請求項５に記載の発明によれば、立設パネル部の正面側上部に室内機が設置され、背面側下部に室外機及び遮蔽部が位置づけられることから、室内機からの気流、特に、空気調和機の暖房運転時における室内機からの気流が室外機及び遮蔽部に遮られることがないので、この室内機からの気流を円滑化できる。
【００２６】
請求項６に記載の発明によれば、室外機を支持する支持ブロックが、収納部または台座部の天面に位置調整可能に配設されることから、室外機の寸法が異なる場合にも、支持ブロックの位置を上記天面に対して変更することで対応できるので、この展示装置に様々な種類の空気調和機を設置して展示でき、汎用性の高い展示装置を実現できる。
【００２７】
請求項７に記載の発明によれば、室内機を支持するトップボードに、室内機から室外機への配管が挿通される開口部が所定の位置、大きさで予め設けられていることから、室内機の取り付け時に開口部を設ける必要がなく、設置作業の労力を著しく軽減することができるばかりか、様々な種類の室内機の配管に対応しているため、汎用性の高い展示装置を実現できる。
【発明を実施するための最良の形態】
【００２８】
以下、本発明を実施するための最良の形態を、図面に基づき説明する。
【００２９】
［第１の実施の形態（図１〜図１０）］
図１は、本発明に係る空気調和機の展示装置における第１の実施の形態を示す正面図である。図２は、図１の空気調和機の展示装置を示す側面図である。図３は、図１の空気調和機の展示装置の構造を示す分解斜視図である。図４は、図１の空気調和機の展示装置に設置された空気調和機における空気の流れ（図４（Ａ））、ドレン水の流れ（図４（Ｂ））をそれぞれ示す側面図である。
【００３０】
図１及び図２に示す空気調和機の展示装置１０（以下、単に展示装置１０と称する。）は、室内機２及び室外機３を備えてなる空気調和機１を実演運転して展示可能とするものである。この展示装置１０は、収納部としてのベースフレーム１１上に立設パネル１２が立設され、この立設パネル部１２の正面側上部に、室内機２を設置可能なトップボード１３が設けられ、立設パネル部１２の背面側下部に室外機３、及びこの室外機３を遮蔽して収容する遮蔽部１４が位置づけられる。この室外機３は、支持ブロック３２（後述）を介してベースフレーム１１の天面１５に支持され、また、遮蔽部１４もベースフレーム１１の天面１５に取り付けられる。また、図２３に示すようにトップボード１３は、正面視、ボード部１３ａの下部で、かつ、右端部近傍の箇所に所定の大きさの開口部１３ｂを有する。室内機２のトップボード１３への取り付けに当たっては、室内機２から室外機３への配管（図示せず）が、開口部１３ｂを介して、トップボード１３の正面側から、背面側へと通じる。室内機２の室外機３への配管は、通常、室内機２の背面側であって、右端下部近傍の箇所に設けられており、開口部１３ｂは、様々な種類の室内機２の配管を挿通し得る箇所、即ち、ボード部１３ａの下部で、かつ、右端部近傍の箇所に所定の大きさで形成される。
【００３１】
上記ベースフレーム１１は、図３及び図５に示すように、底面の無い箱形状に構成され、下端部にキャスター１６を備える。このベースフレーム１１は、図４（Ｂ）に示すように、冷房運転時に室内機２からのドレン水をドレンホース２３を経て、また暖房運転時に室外機３からのドレン水をドレンホース２４を経てそれぞれ貯溜する貯溜タンク２５を収納するものである。この貯溜タンク２５は、空気調和機１の冷房運転時に室内機２から１日当たりに発生する大量のドレン水（約１０リットル／１０時間）を貯溜するに足る容量を有する。従って、ベースフレーム１１は、上記大容量の貯溜タンク２５を、後述のタンクキャリア５５と共に収納し得る寸法に設定される。上記貯溜タンク２５は、１８リットルまたは２０リットルを貯溜し得るポリタンクが用いられる。尚、空気調和機１の暖房運転時に室外機３から１日当たりに発生するドレン水は、約２５０ｃｃ／１０時間と少量である。
【００３２】
図５に示すように、ベースフレーム１１の正面側は、上記貯溜タンク２５をタンクキャリア５５と共に搬入出するための扉１７とされる。この扉１７は、図６に示すように、ヒンジ１８を用いてベースフレーム１１の天部フレーム１９に開閉可能に枢支される。この扉１７は、図５に示すように取っ手２０を有し、両側に設けられた固定プレート２１に取り付けられたマグネットによって、ベースフレーム１１の脚部フレーム（不図示）に固定する。また、マグネットを用いて固定を行うのではなく、固定プレート２１に固定ボルト２２を挿通することで、ベースフレーム１１の脚部フレームに固定してもよい。
【００３３】
また、図２及び図３に示すように扉１７の下方、即ち、扉１７の下端と地面との間隙に、マグネット１７ｂ等を介して風向制御板１７ａを配することにより、扉１７の下端と地面との間隙から、室外機３の排気が出ることを防止することも可能である。これにより、この展示装置の正面側で空気調和機の実演運転を観察している顧客に室外機の排気が当たり、不快感を与えることを防止可能である。
【００３４】
また、ベースフレーム１１には、天面１５における後方側（背面側）に天面風路開口２６が形成され、両側面２７の下部に側面風路開口２８が形成され、背面２９の下部に背面風路開口３０が形成されている。
【００３５】
ベースフレーム１１の天面１５における前方及び中央側に、天面１５の長手方向に延びる複数枚（例えば２枚）の面状ファスナ３１が貼着されている。一方、図１及び図２に示すように、室外機３を直接支持する一対の支持ブロック３２の底面にも、面状ファスナ３３（図３）が貼着されている。この一対の支持ブロック３２は、ベースフレーム１１の天面１５における面状ファスナ３１に対してほぼ直交する状態で、且つ面状ファスナ３１及び３３の作用で、ベースフレーム１１の天面１５に位置調整可能に載置される。このため、一対の支持ブロック３２の離間距離Ｌ（図１）は、室外機３の寸法に応じて変更可能に設けられる。
【００３６】
前記立設パネル部１２は、図１〜図３に示すように、フロントフレーム３４の上端にトップボードフレーム３５が挿入されて蝶ボルト３６等を用いて固定され、このトップボードフレーム３５に前記トップボード１３が、取付ボルト３７を用いて固定されて構成されたものである。フロントフレーム３４の脚部３８及び底部５９が、図７に示すように、蝶ボルト３６等を用いてベースフレーム１１の天部フレーム１９に取り付けられて、フロントフレーム３４がベースフレーム１１の天面１５に立設される。このフロントフレーム３４には、上端部及び下端部にガイドレール３９が固着されており、これらのガイドレール３９に、広告宣伝用の文字または写真等を表示する図示しない表示パネルが着脱自在に装着される。更に、トップボードフレーム３５の上部にサインフレーム４０が嵌装され、このサインフレーム４０にも、広告宣伝用の文字等を表示する表示パネルが着脱自在に装着される。
【００３７】
室外機３を遮蔽して収容する前記遮蔽部１４は、バックフレーム４１と両サイドカバー４２と有して構成され、これらのバックフレーム４１、サイドカバー４２、及び表示パネルを装着したフロントフレーム３４に囲まれた空間内に室外機３が収容される。
【００３８】
上記バックフレーム４１は、図８に示すように、背面４３の下縁両側から脚部４４が伸び、背面４３の上縁、両側縁から小面積の天面４５、側面４６がそれぞれ連設され、更に天面４５にコ字形状の取付用フレーム４７が一体化されたものである。図９に示すように、バックフレーム４１の脚部４４がベースフレーム１１の天部フレーム１９に蝶ボルト３６等を用いて固定されることで、バックフレーム４１がベースフレーム１１の天面１５に取り付けられる。また、図３に示すように、取付用フレーム４７が蝶ボルト３６等を用いてフロントフレーム３４に固定されて、バックフレーム４１とフロントフレーム３４とが一体化される。
【００３９】
上記サイドカバー４２は、上部に上係止片４８、下部に下係止片４９を備え、開口５０が形成されて構成される。図９に示すように、下係止片４９をフロントフレーム３４の脚部３８及びバックフレーム４１の脚部４４に係合させ、上係止片４８をバックフレーム４１の取付用フレーム４７に係合させた状態で、上係止片４８を取付用フレーム４７に蝶ボルト３６等を用いて固定して、サイドカバー４２がバックフレーム４１に取り付けられる。
【００４０】
このサイドカバー４２の取付状態では、図２に示すように、サイドカバー４２の両側、つまりサイドカバー４２とフロントフレーム３４との間に空気取入開口５１が設けられる。また、バックフレーム４１の取付用フレーム４７に囲まれて空気取入開口５３(図８)が形成される。遮蔽部１４内に収容された室外機３は、空気調和機１の運転時に上記空気取入開口５１、５３、及びサイドカバー４２の開口５０を経て、遮蔽部１４外の空気を取り込むことが可能となる。
【００４１】
尚、図２及び図３に示すように、室外機３の上部、即ち、室外機３の平面（上面）とバックフレーム４１の天面４５との間隙に風向制御板３４ａをマグネット３４ｂ等を介して配することにより、室外機３が、室外機３自体の排気を吸い込むことによるショートサイクル現象をより確実に防止することも可能である。
【００４２】
また、上記遮蔽部１４及び前記ベースフレーム１１には、空気調和機１の運転時における室外機３からの排気を、図４（Ａ）に示すように、バックフレーム４１の背面４３に衝突させて下方へ導き、ベースフレーム１１の天面風路開口２６を経てベースフレーム１１内へ導入し、背面風路開口３０及び側面風路開口２８を経てベースフレーム１１の背面側及び側面側から排出する風路５４が形成されている。
【００４３】
尚、前記貯溜タンク２５は、図１０に示すタンクキャリア５５内に収容される。このタンクキャリア５５は、枠にて直方体形状に構成され、下端部にキャスター５６を備える。このタンクキャリア５５は、更に、昇降して高さを変更可能とするハンドル５７を有する。貯溜タンク２５の運搬時にはハンドル５７の高さを高くし、貯溜タンク２５をタンクキャリア５５と共にベースフレーム１１内に収納するときには、ハンドル５７を低くして、タンクキャリア５５をベースフレーム４１内に収納可能とする。また、図１〜図３中の符号５８は、空気調和機１のリモートコントローラを保持するリモコンホルダである。
【００４４】
以上のように構成されたことから、上記実施の形態によれば、次の効果（１）〜（５）を奏する。
【００４５】
（１）室外機３(図２)を遮蔽する遮蔽部１４に空気取入開口５１、５３及び開口５０が設けられ、室内機２または室外機３からのドレン水を貯溜する貯溜タンク２５を収納するベースフレーム１１の天面１５に室外機３が支持され、これらの遮蔽部１４及びベースフレーム１１に、室外機からの排気を遮蔽部１４からベースフレーム１１内に導き、図４（Ａ）に示すように、このベースフレーム１１の背面側から背面風路開口３０を経て排出し、ベースフレーム１１の側面側から側面風路開口２８を介して排出する風路５４が形成されたことから、室外機３は、その運転時に空気取入開口５１、５３及び開口５０から遮蔽部１４外の空気を取り込み、風路５４を経て排気を遮蔽部１４及びベースフレーム１１の外部へ排出できるので、ショートサイクル現象が発生せず、熱交換を効率的に実施できる。この結果、空気調和機１の実演運転を良好に実現できる。
【００４６】
（２）遮蔽部１４及びベースフレーム１１に形成された風路５４を経て、室外機３の排気がベースフレーム１１の背面側及び側面側から排出されるので、この展示装置１０の正面側で空気調和機１の実演運転を観察している顧客に室外機３の排気が当たらず、顧客に不快感を与えることがない。
【００４７】
（３）ベースフレーム１１が、空気調和機１の冷房運転時に室内機２から１日当たりに発生するドレン水を貯溜するに足る容量の貯溜タンク２５を収納し得る大きさに構成されたことから、このような大容量の貯溜タンク２５を用いることによって、空気調和機１の実演運転時に貯溜タンク２５に貯溜されるドレン水の溢水を防止すべく、貯溜タンク２５内のドレン水を頻繁に廃棄する必要がないので、ドレン水の廃棄作業を軽減できると共に、空気調和機１の長時間の連続運転（特に、長時間の連続冷房運転）を実現できる。
【００４８】
（４）立設パネル部１２の正面側上部に室内機２が設置され、背面側下部に室外機３及び遮蔽部１４が位置づけられることから、室内機２からの気流、特に、空気調和機１の暖房運転時における室内機２からの気流（暖気流）が室外機３及び遮蔽部１４に遮られることがないので、この室内機２からの気流を円滑化できる。
【００４９】
（５）室外機３を直接支持する支持ブロック３２が、図３に示すように、ベースフレーム１１の天面１５に、面状ファスナ３１及び３３を用いて位置調整可能に配設されることから、室外機３の寸法が異なる場合にも、支持ブロック３２の位置を天面１５に対し調整して、それらの離間距離Ｌ(図１)を変更することで対応できるので、この展示装置１０に様々な種類の空気調和機１を設置して展示でき、汎用性の高い展示装置１０を実現できる。
【００５０】
（６）室内機２を支持するトップボード１３に、室内機２から室外機３への配管が挿通される開口部１３ｂが所定の位置、大きさで予め設けられていることから、室内機の取り付け時に開口部を設ける必要がなく、設置作業の労力を著しく軽減することができるばかりか、様々な種類の室内機２の配管に対応しているため、汎用性の高い展示装置を実現できる。
【００５１】
［第２の実施の形態（図１１〜図２２）］
図１１は、本発明に係る空気調和機の展示装置における第２の実施の形態を示す正面図である。図１２は、図１１の空気調和機の展示装置を示す側面図である。図１３は、図１１の空気調和機の展示装置における構造を示す分解斜視図である。図１４は、図１の空気調和機の展示装置に設置された空気調和機における空気の流れを示す側面図である。この第２の実施の形態において、前記第１の実施の形態と同様な部分は、同一の符号を付すことにより説明を省略する。
【００５２】
この第２の実施の形態の空気調和機の展示装置６０（以下、単に展示装置６０と称する。）が前記第１の実施の形態の展示装置１０と異なる点は、ベースフレーム６１及びバックフレーム６２の構造が変更され、更にドライユニット６３が追加された点である。
【００５３】
つまり、図１３に示すように、ベースフレーム６１は中空形状であるが、内部に貯溜タンク２５を収納せず、その天面１５において支持ブロック３２を介して室外機３を支持する支持台として機能する。そして、上記支持ブロック３２は、前記展示装置１０の場合と同様に、面状ファスナ３１及び３３を用いてベースフレーム６１の天面１５に位置調整可能に配設される。更に、このベースフレーム６１は、図１７に示すように、背面側が切り欠かれて背面開口６４を有し、この背面開口６４の上下中央には、コ字形状のフレーム６４ａが、ベースフレーム６１の左右を渡っている。このコ字形状のフレーム６４ａは、展示装置６０の組立に当たり、組立者の労力を軽減するべく、フレーム６４ａ上にドライユニット６３を載置した状態で、このドライユニット６３（後述）をバックフレーム６２に取り付け可能とし、その支持及び位置決めの労力を著しく軽減したものである。
【００５４】
上記バックフレーム６２は、図１８に示すように、天面４５及び側面４６(図８)を備えず、また、背面４３にバックフレーム風路開口６５が形成されている。図１２に示すように、バックフレーム６２と両サイドカバー４２とにより遮蔽部１４が構成され、この遮蔽部１４と、バックフレーム６２の背面側に配設された上記ドライユニット６３と、表示パネルを装着したフロントフレーム３４とに囲まれた空間内に室外機３が収容される。そして、遮蔽部１４には、両サイドカバー４２とフロントフレーム３４との間に空気取入開口５１が、また、バックフレーム６２の取付用フレーム４７に囲まれて空気取入開口５３がそれぞれ設けられる。空気調和機１の運転時に、遮蔽部１４外の空気が、上記空気取入開口５１、５３、及びサイドカバー４２の開口５０を経て遮蔽部１４内へ取り込まれる。
【００５５】
上記ドライユニット６３は、図１９及び図２０に示すように、上下方向に複数本の固定支持バー６６が千鳥形に配列され、下端部にドレン水溜り６７が形成されたユニット本体６８と、ドレン水を吸収し、拡散し、蒸発させるシートとしてのドライクロス６９と、このドライクロス６９へドレン水を導く給水パイプ７１と、を有して構成される。このドライユニット６３は、ドライクロス６９を除くユニット本体６８及び給水パイプ７１等がステンレス鋼材にて構成されて、熱の放散が抑制され、ドライクロス６９の乾燥、即ち、ドレン水の蒸発、空気中への放散が促進される。尚、ドライユニット６３のユニット本体６８は、図１３に示すようにバックフレーム６２に取り付けられる部分を開口部６８ａとした箱形に構成されるものである。しかして、ユニット本体６８は、矩形の枠状に構成されて、熱の放散を抑制するステンレス本体６８ｂと、ステンレス本体６８ｂの背面側開口を遮蔽する背面カバー６８ｃ、ステンレス本体６８ｂの上部及び下部に装着され、ユニット本体６８の強度を上げる上カバー６８ｄ及び下カバー６８ｅとから構成されている。前記背面カバー６８ｃ、上カバー６８ｄ及び下カバー６８ｅは、ドライユニット６３の軽量化を図るべく、プラダン（プラスチックダンボール）等で構成することが好ましい。
【００５６】
上記ドライクロス６９は、水の吸収性、拡散性及び蒸発性に優れた不織布が用いられる。このドライクロス６９は、図２１に示すように、一枚の不織布を重ね合わせて構成され、上下の両端部に上挿通穴７２、下挿通穴７３がそれぞれ形成される。
【００５７】
上記給水パイプ７１は、図１９及び図２０に示すように、中空形状でドライクロス６９の上挿通穴７２に挿通される。この給水パイプ７１には一端側に、室内機２からのドレン水を導くドレンホース２３を接続する接続パイプ７４が固着されている。また、ユニット本体６８のステンレス本体６８ｂには、上下両先端がＪ字状に構成され、その側面がステンレス本体６８ｂに対して溶接等により既に固定された取付ブラケット７６がその左右側面内側に備えられており、給水パイプ７１は、その両端が、取付ブラケット７６の上部に取付具７６ａによって取付けられて、ユニット本体６８の内部上端位置に配される。更に、この給水パイプ７１には、装着されるドライクロス６９の幅方向へ略中央位置に、複数の注水穴７５が形成されている。
【００５８】
前記ユニット本体６８は、ドライクロス６９を上下方向に蛇腹形状として内部に保持する。つまり、ユニット本体６８は、上挿通穴７２に給水パイプ７１が挿通されたドライクロス６９を複数本の固定支持バー６６に掛け渡して、当該ドライクロス６９を上方から下方へ向かって蛇腹形状に保持し、このドライクロス６９の下端部をフリー支持バー７７（図２０（Ｂ））に引っ掛けた後、持ち上げてエンド支持バー７８によりユニット本体６８の下部に支持する。このエンド支持バー７８は、ドライクロス６９の下挿通穴７３に挿通され、両端部が引っ張りコイルばね７９を介してユニット本体６８の下部に取り付けられることで、ドライクロス６９に張力を付与する。また、フリー支持バー７７は、その両端に接続具７７ａを備え、当該接続具７７ａを介して、取付ブラケット７６の下部に固定されて、ユニット本体６８の下端部に取り付けられ、当該フリー支持バー７７に引っ掛けられたドライクロス６９の下部を、ユニット本体６８のドレン水溜り６７内に位置づけて保持する。
【００５９】
従って、空気調和機１の冷房運転時に室内機２（図１４）に発生したドレン水は、この室内機２からドレンホース２３及び給水パイプ７１（図１９、図２０）の接続パイプ７４を経て給水パイプ７１内へ導かれた後、この給水パイプ７１の注水穴７５からドライクロス６９へ注水されて、このドライクロス６９に吸収される。ドライクロス６９に吸収されたドレン水は、図１５に示すように、このドライクロス６９内を下方へ流動する間に、ドライクロス６９の幅方向両側部へほぼ均等に拡散される。尚、ユニット本体６８の上端部には、ホースホルダ８２(図１３)が取り付けられている。このホースホルダ８２は、図２２に示すように、給水パイプ７１の接続パイプ７４に接続されたドレンホース２３の接続部近傍を保持するものである。
【００６０】
また、空気調和機１の暖房運転時には、室外機３（図１４）にてドレン水が発生し、このドレン水はドレンホース２４を経てユニット本体６８の下端部に固着された受水パイプ８１（図１９及び図２０）から、ユニット本体６８のドレン水溜り６７に導かれて貯溜される。このドレン水溜り６７に貯溜されたドレン水は、図１６に示すように、ドレン水に浸漬されたドライクロス６９の一部に吸収されて、このドライクロス６９の上方へ吸い上げられ、拡散する。尚、上記受水パイプ８１はドレンホース２４に接続されて、このドレンホース２４内のドレン水をユニット本体６８のドレン水溜り６７に導くものである。
【００６１】
上述のように構成されたドライユニット６３は、図１２〜図１４に示すように、遮蔽部１４の背面側においてバックフレーム６２に蝶ボルト３６等を用いて固定されて設置され、この設置状態で、下部がベースフレーム６１の背面開口６４の略上半分に位置づけられる。従って、背面開口６４の下半分が、ベースフレーム６１の背面風路開口８３として機能する。この結果、ベースフレーム６１、遮蔽部１４及びドライユニット６３には、空気調和機１の運転時における室外機３からの排気を、バックフレーム６２のバックフレーム風路開口６５を経てドライユニット６３のドライクロス６９に衝突させて下方へ導き、このドライユニット６３の下部からベースフレーム６１内へ導入し、背面風路開口８３及び側面風路開口２８を経てベースフレーム６１の背面側及び側面側へ排出する風路８４が形成されている。
【００６２】
空気調和機１の運転時に、上記風路８４を流れる排気が蛇腹形状に形成されたドライユニット６３のドライクロス６９に当たることで、このドライクロス６９に吸収されて拡散された室内機２または室外機３からのドレン水が蒸発され、空気中へ放散される。
【００６３】
例えば、空気調和機１の冷房運転時、室温が約１８℃、湿度約５５％で、設定温度を１６℃としたとき、室内機２からは約１０リットル／１０時間のドレン水が発生し、室外機３からの排気は約３０℃の温度で、約３ｍ／ｓの風速となる。室内機２からのドレン水がドライユニット６３の給水パイプ７１に導かれてドライクロス６９に吸収され拡散されて流下する間に、室外機３からの上記排気がドライクロス６９に当たることで、このドライクロス６９に拡散されたドレン水は室外機３からの排気によって温められながら蒸発し、例えば約１．２リットル／時の速度で蒸発して、空気中に放散される。
【００６４】
また、暖房運転時には、室外機３から約２５０cc／１０時間のドレン水が発生し、このドレン水がドライユニット６３におけるユニット本体６８のドレン水溜り６７に貯溜された後、ドライクロス６９に吸収されて吸い上げられる。この暖房運転時には、室外機３からの排気は冷風であるが、上述のようにドレン水の総量が少ないため、ドライクロス６９に吸収されて拡散されたドレン水は、上記排気（冷風）によって蒸発し空気中に放散される。
【００６５】
以上のように構成されたことから、上記第２の実施の形態の展示装置６０においても、前記第１の実施の形態の展示装置１０の効果（４）〜（６）と同様な効果を奏するほか、次の効果（７）〜（９）を奏する。
【００６６】
（７）室外機３(図１２)は、その運転時に遮蔽部１４の空気取入開口５１、５３、及びサイドカバー４２の開口５０から遮蔽部１４外の空気を取り込み、遮蔽部１４、ドライユニット６３及びベースフレーム６１に形成された風路８４(図１４)を経て、排気を遮蔽部１４、ドライユニット６３及びベースフレーム６１の外部へ排出することから、ショートサイクル現象が発生せず、熱交換を効率的に実施できる。この結果、空気調和機１の実演運転を良好に実現できる。
【００６７】
（８）遮蔽部１４、ドライユニット６３及びベースフレーム６１には、室外機３からの排気を、遮蔽部１４のバックフレーム風路開口６５からドライユニット６３内へ導いた後ベースフレーム６１内へ導き、このベースフレーム６１の背面風路開口８３及び側面風路開口２８を経て、ベースフレーム６１の背面側及び側面側から排出する風路８４が形成されたことから、この展示装置６０の正面側で空気調和機１の実演運転を観察している顧客に室外機からの排気が当たらず、この顧客に不快感を与えることがない。
【００６８】
（９）室内機２または室外機３からのドレン水を吸収し蒸発させるドライクロス６９をユニット本体６８の内部に備えたドライユニット６３が、室外機３を収容する遮蔽部１４の背面に設置されたことから、室外機３からの排気をドライユニット６３のドライクロス６９に当てることで、このドライクロス６９に吸収されたドレン水を蒸発させて放散することができる。この結果、ドレン水を貯溜して排気するドレン水の廃棄作業を無くすことができると共に、空気調和機１の長時間の連続運転（特に、長時間の連続冷房運転）を容易に実現できる。
【００６９】
以上、本発明を上記実施の形態に基づいて説明したが、本発明はこれに限定されるものではない。
【図面の簡単な説明】
【００７０】
【図１】本発明に係る空気調和機の展示装置における第１の実施の形態を示す正面図である。
【図２】図１の空気調和機の展示装置を示す側面図である。
【図３】図１の空気調和機の展示装置の構造を示す分解斜視図である。
【図４】図１の空気調和機の展示装置に設置された空気調和機における空気の流れ（図４（Ａ））、ドレン水の流れ（図４（Ｂ））をそれぞれ示す側面図である。
【図５】図３のベースフレームを示し、（Ａ）が正面側の斜視図、（Ｂ）が背面側の斜視図である。
【図６】図３のベースフレームの扉の構造を示す断面図である。
【図７】図３のフロントフレームの取付状態を示す断面図である。
【図８】図３のバックフレームを示し、（Ａ）が正面側の斜視図、（Ｂ）が背面側の斜視図である。
【図９】図３のサイドカバーの取付状態を示す断面図である。
【図１０】図３のタンクキャリアを示し、（Ａ）が斜視図、（Ｂ）が正面図である。
【図１１】本発明に係る空気調和機の展示装置における第２の実施の形態を示す正面図である。
【図１２】図１１の空気調和機の展示装置を示す側面図である。
【図１３】図１１の空気調和機の展示装置における構造を示す分解斜視図である。
【図１４】図１の空気調和機の展示装置に設置された空気調和機における空気の流れを示す側面図である。
【図１５】図１４に示すドライユニットにおいて、冷房運転時におけるドレン水の流れを示し、（Ａ）が正面図、（Ｂ）が側面図である。
【図１６】図１４に示すドライユニットにおいて、暖房運転時におけるドレン水の流れを示し、（Ａ）が正面図、（Ｂ）が側面図である。
【図１７】図１３のベースフレームを示し、（Ａ）が正面側の斜視図、（Ｂ）が背面側の斜視図である。
【図１８】図１３のバックフレームを示す斜視図である。
【図１９】図１３及び図１４に示すドライユニットの分解背面斜視図である。
【図２０】図１９におけるユニット本体などを示し、（Ａ）が正面図、（Ｂ）が側断面図である。
【図２１】図１９のドライクロスを示す斜視図である。
【図２２】図１９のホースホルダなどを示す側断面図である。
【図２３】図３のトップボードを示す斜視図である。
【図２４】従来の空気調和機の展示装置を示す側面図である。
【符号の説明】
【００７１】
１  空気調和機
２  室内機
３  室外機
１０  空気調和機の展示装置
１１  ベースフレーム（収納部）
１２  立設パネル部
１３  トップボード
１４  遮蔽部
１５  天面
２５  貯溜タンク
２６  天面風路開口
２８  側面風路開口
３０  背面風路開口
３１、３３  面状ファスナ
３２  支持ブロック
４１  バックフレーム
４２  サイドカバー
５０  開口
５１、５３  空気取入開口
５４  風路
６０  空気調和機の展示装置
６１  ベースフレーム（台座部）
６３  ドライユニット
６４  背面開口
６５  バックフレーム風路開口
６８  ユニット本体
６９  ドライクロス（シート）
７１  給水パイプ
８３  背面風路開口
８４  風路
【図１】
2006214677.tif 000003
【図２】
2006214677.tif 000004
【図３】
2006214677.tif 000005
【図４】
2006214677.tif 000006
【図５】
2006214677.tif 000007
【図６】
2006214677.tif 000008
【図７】
2006214677.tif 000009
【図８】
2006214677.tif 000010
【図９】
2006214677.tif 000011
【図１０】
2006214677.tif 000012
【図１１】
2006214677.tif 000013
【図１２】
2006214677.tif 000014
【図１３】
2006214677.tif 000015
【図１４】
2006214677.tif 000016
【図１５】
2006214677.tif 000017
【図１６】
2006214677.tif 000018
【図１７】
2006214677.tif 000019
【図１８】
2006214677.tif 000020
【図１９】
2006214677.tif 000021
【図２０】
2006214677.tif 000022
【図２１】
2006214677.tif 000023
【図２２】
2006214677.tif 000024
【図２３】
2006214677.tif 000025
【図２４】
2006214677.tif 000026